(57)【要約】【課題】  すでに所有している測定器を用いて、穿刺、試料の採取、試料の測定等を行うことができる測定器用ホルダを提供する。【解決手段】  バイオセンサ測定器３０を測定器保持部１１に装着した場合には、駆動機構１３によって穿刺器具２５を駆動して穿刺し、コネクタ部１４に取り付けられているバイオセンサチップ２０によって試料Ｂを採取して、取り付けられているバイオセンサ測定器３０により測定することができる。この際、すでに所有している測定器３０を測定器用ホルダ１０に取り付けることにより、無駄をなくすとともに使用者の負担を軽減することができる。また、バイオセンサ測定器３０を装着しない状態でも、測定器用ホルダ１０を単独で用いて、駆動機構１３によって穿刺器具２５を駆動して穿刺を行うことができる。【選択図】  図１
2007301105.tif 000002
【特許請求の範囲】
【請求項１】
試料を測定するバイオセンサ測定器を取り付けるための測定器保持部と、前記試料を採取するための穿刺器具を穿刺時に移動させる駆動機構と、バイオセンサチップを装着し前記駆動機構により移動するコネクタ部とを有することを特徴とする測定器用ホルダ。
【請求項２】
前記コネクタ部と前記バイオセンサ測定器の検出部とを電気的に接続する導通部を有することを特徴とする請求項１に記載の測定器用ホルダ。
【請求項３】
前記導通部にフレキシブルコードが用いられていることを特徴とする請求項１または２に記載の測定器用ホルダ。
【請求項４】
前記穿刺器具とバイオセンサチップが一体化したチップを装着するコネクタ部を有することを特徴とする請求項１から３のいずれかに記載の測定器用ホルダ。
【請求項５】
請求項１から請求項４のいずれかに記載の測定器用ホルダに、バイオセンサ測定器を取り付けたことを特徴とする連結型バイオセンサ測定器。
【請求項６】
請求項１から請求項４のいずれかに記載の測定器用ホルダと、バイオセンサ測定器が一体型であることを特徴とする一体型バイオセンサ測定器。
【発明の詳細な説明】
【技術分野】
【０００１】
本発明は測定器用ホルダに係り、例えば従来よりある特定の試料中の成分を測定する測定器を取り付けることにより、被検体の穿刺、試料の採取および成分の測定を一度に行うことができる測定器用ホルダに関するものである。
【背景技術】
【０００２】
従来より、穿刺手段を一体的に収容して、穿刺、試料の採取および成分の測定を行う成分測定装置が知られている（例えば特許文献１参照）。
図８に示すように、特許文献１に記載の成分測定装置１００は、筐体１０１ａと蓋体１０１ｂからなる本体１０１を有しており、筐体１０１ａの一側面には指先の形状に対応して設置された指当て部１０２を有している。筐体１０１ａの内部には、穿刺手段１０４を収納するハウジング１０３が、チップ退避機構１０５によって軸方向に移動可能に設けられており、ハウジング１０３の先端に成分測定装置用チップ１１３を着脱可能に取り付けるようになっている。なお、チップ１１３の内部には、穿刺針を備えたチップ本体が出没可能に設けられている。また、筐体１０１ａの内部には、血液の採取を検出するとともに血液中の所定成分を測定する測定手段１０６と、ハウジング１０３内を減圧状態とするポンプ１０７と、ハウジング１０３内の減圧状態を解除、緩和または保持する電磁弁１０８と電源である電池１０９等が設けられている。さらに、回路基板１１０上には、制御手段１１１が設けられており、回路基板１１０の上方には、蓋体１０１ｂに設けられている窓１１４を介して測定結果等を表示する表示部１１２が設けられている。
【０００３】
従って、未使用のチップ１１３をハウジング１０３内に挿入して穿刺手段１０４に装着し、さらに押し込んで穿刺手段１０４のスプリング等を圧縮して作動可能状態とする。そして、電源をオンとし、指当て部１０２に指を押し当てて、蓋体１０１ｂに設けられている操作ボタン１１５を押して穿刺手段１０４を作動させ、チップ１１３内のチップ本体を移動させて穿刺し、ポンプ１０７によってハウジング１０３とともに減圧されたチップ１１３内部に血液を採取する。制御手段１１１は、採取された血液を分析測定して、その結果を表示部１１２に表示する。
【特許文献１】特開２００２−８５３８４号公報（図１）
【発明の開示】
【発明が解決しようとする課題】
【０００４】
ところで、前述した特許文献１に記載の成分測定装置１００では、指を穿刺する穿刺部分（１０４）と、採取した試料を分析・測定する測定器部分（１１１）とが一体的で設けられているため、新たに測定器を購入する場合には便利であるが、すでに所有している測定器を用いて血液等の測定を行うことができない。また、測定器が大きく、かつ、重量があり、取り扱いにくいところがある。
【０００５】
本発明の目的はすでに所有している測定器を用いて、穿刺、試料の採取、試料の測定等を行うことができる測定器用ホルダを提供することにある。さらに、小型かつ軽量で取り扱い易い測定器用ホルダ及びバイオセンサ測定器を提供することにある。
【課題を解決するための手段】
【０００６】
前述した目的を達成するために、本発明にかかる測定器用ホルダは、試料を測定するバイオセンサ測定器を取り付けるための測定器保持部と、前記試料を採取するための穿刺器具を穿刺時に移動させる駆動機構と、バイオセンサチップを装着し前記駆動機構により移動するコネクタ部とを有するものである。
【０００７】
このように構成された測定器用ホルダにおいては、バイオセンサ測定器を測定器保持部に装着した場合には、駆動機構によって穿刺器具を駆動して穿刺し、コネクタ部に取り付けられているバイオセンサチップによって試料を採取して、取り付けられているバイオセンサ測定器により測定することができる。この際、すでに所有している測定器を測定器用ホルダに取り付けることにより、無駄をなくすとともに使用者の負担を軽減することができる。また、バイオセンサ測定器を装着しない状態でも、駆動機構によって穿刺器具を駆動して穿刺を行い、別体の測定器を用いて測定を行うこともできる。また、本発明における穿刺器具は針、ランセット針、カニューレ等のことをさしている。
【０００８】
また、本発明にかかる測定器用ホルダは、前記コネクタ部と前記バイオセンサ測定器の検出部とを電気的に接続する導通部を有するものである。
【０００９】
このように構成された測定器用ホルダにおいては、バイオセンサチップを装着するコネクタ部が、導通部によってバイオセンサ測定器の検出部と電気的に接続されているので、コネクタ部に挿入されているバイオセンサチップからの検出信号を検出部に伝達することができ、短時間で試料の成分の測定を行うことができる。
【００１０】
また、本発明にかかる測定器用ホルダは、前記導通部にフレキシブルコードが用いられているものである。
【００１１】
このように構成された測定器用ホルダにおいては、コネクタ部における導通部としてフレキシブルコードを用いたので、駆動機構によって穿刺器具を駆動させることによりバイオセンサチップが移動する場合でも、常に測定器の検出部と電気的に接続した状態を保持することができる。
【００１２】
また、本発明にかかる測定器用ホルダは、前記穿刺器具とバイオセンサチップが一体化したチップを装着するコネクタ部を有するものである。
【００１３】
このように構成された測定器用ホルダにおいては、バイオセンサチップに穿刺器具が一体的に設けられているので、駆動機構によってバイオセンサチップを移動させることにより、穿刺および試料の採取を行うことができる。
【００１４】
また、本発明にかかる連結型バイオセンサ測定器は、上述の発明の測定器用ホルダにバイオセンサ測定器を取り付けたものである。
【００１５】
このように構成されたバイオセンサ測定器においては、バイオセンサ測定器を測定器保持部に装着して、駆動機構によって穿刺器具を駆動して穿刺することにより、コネクタ部に取り付けられているバイオセンサチップによる試料の採取、取り付けられているバイオセンサ測定器による測定を一連の動作として行うことができる。この際、すでに所有している測定器を測定器用ホルダに取り付けることにより、無駄をなくすとともに使用者の負担を軽減することができる。
【００１６】
また、本発明にかかる一体型バイオセンサ測定器は、上述の発明の測定器用ホルダとバイオセンサ測定器が一体型となっていることである。
【発明の効果】
【００１７】
本発明によれば、バイオセンサ測定器を測定器保持部に装着した場合には、駆動機構によって穿刺器具を駆動して穿刺し、コネクタ部に取り付けられているバイオセンサチップによって試料を採取して、取り付けられているバイオセンサ測定器により測定することができる。この際、すでに所有している測定器を測定器用ホルダに取り付けることにより、無駄をなくすとともに使用者の負担を軽減することができるという効果が得られる。また、バイオセンサ測定器を装着しない状態でも、駆動機構によって穿刺器具を駆動して穿刺を行うことができる。
【発明を実施するための最良の形態】
【００１８】
以下、本発明に係る実施形態を図面に基づいて詳細に説明する。
図１は本発明の測定器用ホルダに係る実施形態を示す斜視図および本発明に係るバイオセンサシステムの分解斜視図、図２（Ａ）は測定器用ホルダの正面図、図２（Ｂ）は測定器用ホルダの断面図、図３（Ａ）は穿刺器具（針）付きバイオセンサチップの正面図、図３（Ｂ）は穿刺器具（針）付きバイオセンサチップの側面図、図４（Ａ）はバイオセンサ測定器の一例を示す正面図、図４（Ｂ）は図４（Ａ）中Ｂ−Ｂ位置の断面図、図４（Ｃ）は図４（Ａ）中Ｃ方向から見た端面図である。
【００１９】
図１および図２に示すように、本発明の実施形態に係る測定器用ホルダ１０は、採取された試料の成分を測定するバイオセンサ測定器３０を取り付けるための測定器保持部１１と、試料を採取するための穿刺器具１２と、穿刺時に穿刺器具１２を移動させる駆動機構１３と、バイオセンサチップ２０を装着するコネクタ部１４とを有している。また、本発明に係るバイオセンサ測定器４０は、測定器用ホルダ１０にバイオセンサ測定器３０を装着したものである。
【００２０】
ここで、測定器用ホルダ１０に付いて詳述する前に、まず、従来より用いられているバイオセンサチップ２０およびバイオセンサ測定器３０について概略を説明する。
図３（Ａ）および（Ｂ）には、従来より一般的に用いられている穿刺針付きバイオセンサチップ２０ａの一例が示されている。
図３（Ａ）および（Ｂ）に示すように、穿刺針付きバイオセンサチップ２０ａでは、上下の基板２２ａ、２２ｂと、これらの基板２２ａ、２２ｂに挟まれたスペーサ層２３からなる積層構造のチップ本体２４を有しており、例えばスペーサ層２３の先端部に穿刺器具１２である穿刺針２５が一体的に設けられている。また、下基板２２ｂとスペーサ層２３との間には検知用電極２１ａ、２１ｂが設けられており、チップ本体２４の先端部において両検知用電極２１ａ、２１ｂが所定の間隔をおいて対向している。一方、チップ本体２４の後端部（図３においては上部）では、下基板２２ｂが後方へ突出しており、検知用電極２１ａ、２１ｂは基板２２ｂの上面に露出している。
なお、穿刺針が設けられていないバイオセンサチップとしては、穿刺針を有していないことの除き、前述した穿刺針付きバイオセンサチップと同様な構造をしている。
【００２１】
なお、バイオセンサチップ２０には、測定器用ホルダ１０に取り付ける際に便利なように、チップ本体２４の幅方向に突出した棒状や板状の取っ手２６を設けておくのが望ましい。これにより、後述する測定器用ホルダ１０のコネクタ部１４に設けられているスリット１４ａを用いて、コネクタ部１４の先端からバイオセンサチップ２０を容易に挿入することができる。
【００２２】
図４には従来より用いられているバイオセンサ測定器３０の一例が示されている。バイオセンサ測定器３０は、例えば従来より測定器として単体で使用されているものを用いることができ、バイオセンサチップ２０を装着するチップ挿入取付口３１が開口されて設けられている。チップ挿入取付口３１の内部には、バイオセンサチップ２０の後端部において露出している検知用電極２１ａ、２１ｂに接触して導通する端子３２ａ、３２ｂが設けられている。また、バイオセンサ測定器３０は、検知用電極２１ａ、２１ｂからの検知電流により試料の分析・測定を行う検出部３３および測定結果を表示する表示部３４等を有している。
【００２３】
図１および図２に示すように、測定器用ホルダ１０は、前述したようなバイオセンサ測定器３０を保持する測定器保持部１１を有しており、測定器用ホルダ１０の先端には、穿刺器具１２を駆動する駆動機構としての例えばスプリング１３や、バイオセンサチップ２０を装着してスプリング１３により移動されるコネクタ部１４等を有する穿刺部１５が一体的に設けられている。
【００２４】
測定器保持部１１では、バイオセンサ測定器３０を着脱可能に保持して固定するためのロック機構として例えば前壁１１ａおよび後壁１１ｂ等が設けられている。また、前壁１１ａには、バイオセンサ測定器３０のチップ挿入取付口３１（図４参照）に挿入することにより、バイオセンサ測定器３０の一端を固定するとともに、バイオセンサ測定器３０の検出部３３と導通するための測定器用端子１６ａ、１６ｂが突出して設けられている。なお、ロック機構としては、種々のものが考えられる。
【００２５】
穿刺器具１２としては、前述した穿刺針付きバイオセンサチップ２０ａを用いることができる。また、駆動機構であるスプリング１３の先端には、バイオセンサチップ２０を装着するコネクタ部１４が往復移動可能に設けられており、コネクタ部１４には、装着されたバイオセンサチップ２０の検知用電極２１ａ、２１ｂと接触する端子１４ａ、１４ｂが設けられている。この端子１４ａ、１４ｂと測定器用端子１６ａ、１６ｂとは、導通部１７によって電気的に接続されている。導通部１７における前半分は、コネクタ部１４の移動に対応して伸縮できるように、フレキシブルコード１７ａを用いるのが望ましい。後半分１７ｂは、電線や基板を用いることができる。
【００２６】
穿刺部１５は、先端からバイオセンサチップ２０を挿入して、コネクタ部１４に交換可能に装着するようになっている。なお、穿刺部１５の先端部にスリット１５ａを設けることにより、バイオセンサチップ２０の取っ手２６を指で把持した状態でスリット１５ａに沿ってバイオセンサチップ２０の装着および取り外しができるようにするのが望ましい。
【００２７】
次に、測定器用ホルダの使用状態について説明する。
まず、図５（Ａ）〜（Ｃ）に基づいて、測定器用ホルダ１０の測定器保持部１１にバイオセンサ測定器３０を取り付けた状態、すなわち、バイオセンサ測定器４０を用いて測定を行う場合について説明する。
【００２８】
図５（Ａ）に示すように、バイオセンサ測定器３０を、ロック機構である前壁１１ａと後壁１１ｂとの間に押し込んで測定器用ホルダ１０の測定器保持部１１に取り付けてバイオセンサ測定器４０を形成する。この際、測定器用ホルダ１０に設けられている測定器用端子１６ａ、１６ｂを測定器３０のチップ挿入取付口３１に挿入して、端子３２ａ、３２ｂと接続する。次いで、図５（Ｂ）に示すように、穿刺針付きバイオセンサチップ２０ａを、測定器用ホルダ１０の穿刺部１５の先端から挿入してコネクタ部１４に装着し、さらに押し込んでスプリング１３を押し縮めて穿刺の準備を完了する。そして、図５（Ｃ）に示すように、穿刺部１５の先端を指等に当接させ、測定器用ホルダ１０に設けられている押しボタン１８を押して、スプリング１３を解放してバイオセンサチップ２０ａの穿刺針２５により穿刺する。なお、押しボタン１８の位置は任意であり、片手で測定器用ホルダ１０を保持して操作しやすい箇所に設けるのが望ましい。
【００２９】
これにより、穿刺口から流出した血液がバイオセンサチップ２０ａ内部に収容される。血液は、検知用電極２１ａ、２１ｂ部分に設けられている試薬と反応して微電流を発生し、微電流は検知用電極２１ａ、２１ｂからコネクタ部１４の端子１４ａ、１４ｂを介して導通部１７のフレキシブルコード１７ａ等に流れ、測定器用端子１６ａ、１６ｂおよびバイオセンサ測定器３０の端子３２ａ、３２ｂを経て検出部３３に伝達される。そして、分析・測定の結果が表示部３４に表示される。上述した実施形態の場合、測定器用ホルダにバイオセンサ測定器を連結しているので、バイオセンサチップはバイオセンサ測定器ではなく、測定器用ホルダに装着している。そこで、連結型バイオセンサ測定器においてバイオセンサチップをバイオセンサ測定器に間違って装着するのを防止するために、バイオセンサ測定器にバイオセンサチップを認識しないような電気回路を備えておくことが望ましい。
【００３０】
次に、バイオセンサチップ２０と測定器用ホルダ１０とを分離して使用する場合について説明する。
まず、図６（Ａ）に示すように、測定器用ホルダ１０の穿刺部１５の先端から穿刺針２５を挿入してコネクタ部１４に装着し、穿刺針２５をさらに押し込んでスプリング１３を押し縮めて穿刺動作の準備を行う。次いで、穿刺部１５の先端を指等に当接させて、測定器用ホルダ１０の押しボタン１８を押してスプリング１３を解放して穿刺する。そして、バイオセンサ測定器３０のチップ挿入取付口３１に、穿刺針２５が取り付けられていないバイオセンサチップ２０ｂを挿入する。そして、図６（Ｄ）に示すように、指等に流出している血液Ｂにバイオセンサチップ２０ｂを近づけて血液Ｂを採取し、測定結果が表示部３４に表示される。
【００３１】
以上、説明した測定器用ホルダ１０およびバイオセンサシステム４０によれば、バイオセンサ測定器３０を測定器保持部１１に装着した場合には、穿刺針付きバイオセンサチップ２０ａを測定器用ホルダ１０に装着して、スプリング１３によって穿刺針付きバイオセンサチップ２０ａを駆動して穿刺するとともに、バイオセンサチップ２０ａによって血液を採取して、取り付けられているバイオセンサ測定器３０により測定することができる。この際、すでに所有している測定器を測定器用ホルダ１０に取り付けて用いることにより、無駄をなくすとともに使用者の負担を軽減することができる。また、バイオセンサ測定器３０を測定器用ホルダ１０に装着しない場合には、穿刺針１５を装着してスプリング１３によって駆動して穿刺を行うこともできる。
【００３２】
なお、本発明の測定器用ホルダは、前述した実施形態に限定されるものでなく、適宜な変形，改良等が可能である。
例えば、前述した実施形態においては、すでに所有しているバイオセンサ測定器３０のチップ挿入取付口３１を用いてバイオセンサチップ２０の検知用電極２１ａ、２１ｂと電気的に接続する場合について説明したが、図７に示すように、新たにバイオセンサ測定器３０Ｂを作成する場合には、測定器用ホルダ１０Ｂ側に端子受け１９ａ、１９ｂを凹設し、バイオセンサ測定器３０Ｂに接続端子３５ａ、３５ｂを突出して設けるようにすることもできる。なお、図７において、図１〜図６において前述した部位と共通する部位には同じ符号を付して、重複する説明を省略することとする。
また、上述の実施形態では測定器用ホルダとバイオセンサ測定器とが別体構造であって、これらを連結した連結型バイオセンサ測定器につて詳細に説明したが、測定器用ホルダとバイオセンサ測定器とを一体にした一体型バイオセンサ測定器であってもよい。
【産業上の利用可能性】
【００３３】
以上のように、本発明に係る測定器用ホルダは、バイオセンサ測定器を装着した場合には、駆動機構によって穿刺器具を駆動して穿刺し、コネクタ部に取り付けられているバイオセンサチップによって試料を採取して、取り付けられているバイオセンサ測定器により測定することができる。この際、すでに所有している測定器を測定器用ホルダに取り付けることにより、無駄をなくすとともに使用者の負担を軽減することができるという効果を有し、従来よりある測定器を取り付けて、被検体の穿刺、試料の採取および成分の測定を一度に行うことができる測定器用ホルダ等として有用である。
【図面の簡単な説明】
【００３４】
【図１】本発明の測定器用ホルダに係る第１実施形態を示す斜視図および本発明に係るバイオセンサシステムの分解斜視図である。
【図２】（Ａ）は測定器用ホルダの正面図である。  （Ｂ）は測定器用ホルダの側面図である。
【図３】（Ａ）は穿刺器具（針）付きバイオセンサチップの正面図である。  （Ｂ）は穿刺器具（針）付きバイオセンサチップの側面図である。
【図４】（Ａ）はバイオセンサ測定器の一例を示す正面図である。  （Ｂ）は図４（Ａ）中Ｂ−Ｂ位置の断面図である。  （Ｃ）は図４（Ａ）中Ａ方向から見た端面図である。
【図５】（Ａ）〜（Ｃ）は、測定器用ホルダにバイオセンサ測定器を取り付けたバイオセンサ測定器を用いて血液の測定を行う場合の工程図である。
【図６】（Ａ）〜（Ｄ）は、測定器用ホルダおよびバイオセンサ測定器を各々独立して用いて血液の測定を行う場合の工程図である。
【図７】バイオセンサ測定器と測定器用ホルダの取付構造の別の例を示す構成図である。
【図８】従来の成分測定装置を示す分解斜視図である。
【符号の説明】
【００３５】
１０  測定器用ホルダ
１１  測定器保持部
１３  スプリング（駆動機構）
１４  コネクタ部
１７  導通部
１７ａ  フレキシブルコード
２０  バイオセンサチップ
２５  穿刺器具（針）
３０  バイオセンサ測定器
３３  検出部
４０  バイオセンサ測定器
Ｂ  血液（試料）
【図１】
2007301105.tif 000003
【図２】
2007301105.tif 000004
【図３】
2007301105.tif 000005
【図４】
2007301105.tif 000006
【図５】
2007301105.tif 000007
【図６】
2007301105.tif 000008
【図７】
2007301105.tif 000009
【図８】
2007301105.tif 000010